(57)【要約】【課題】上下に分割可能であって、分割，結合する操作と照射燃料集合体を把持，開放する操作とを混同することがない燃料取扱工具を提供する。【解決手段】ハンドル３１４の下部の操作棒３１１に、コ字状の溝３７を形成し、この溝３７にはボールロックＴ型ピン３１５の先端部分を挿入し、インデックスプランジャ３１６を手前側に引くと、ハンドル３１４を回動および引上げることができ、ボールロックＴ型ピン３１５をコ字状の溝３７に沿って移動させて、上接続フランジ３４と下接続フランジ３５との結合を解除して、上部材３１と下部材３２とを分割し、照射燃料集合体２を把持するときはボールロックＴ型ピン３１５引抜き、ハンドル３１４を上下させることにより保持部３６で照射燃料集合体２の上部ノズル２４を把持する。【選択図】図１２
2006084441.tif 000002
【特許請求の範囲】
【請求項１】
照射燃料集合体を保持するための燃料取扱工具であって、
上操作棒と、前記照射燃料集合体を保持する下操作棒とを含み、軸方向に上下させることにより前記照射燃料集合体を把持，開放し、軸周りに回動させることにより前記上操作棒と前記下操作棒とが分離可能な操作棒と、
前記操作棒の上操作棒に形成され、軸方向に交差する水平部分と、軸方向に平行な垂直部分とを含む溝と、
前記溝の水平部分に挿入されることにより前記操作棒の軸周りへの回動を許容して前記上操作棒と前記下操作棒とを係合または解除させ、前記溝の垂直部分に挿入されることにより前記下操作棒に対して前記上操作棒の軸方向への上下動を許容してそれぞれを分離または結合させるためのピン部材と、
前記上操作棒に設けられ、前記操作棒の軸方向への動きを許容するとともに引抜くことにより前記操作棒の軸周りへの回動を許容し、挿入することで前記操作棒の軸周りへの回動を禁止する回動禁止手段とを備えたことを特徴とする燃料取扱工具。
【請求項２】
前記溝は、第１の水平部分と、垂直部分と、第２の水平部分とを含むコ字状に形成されていることを特徴とする、請求項１に記載の燃料取扱工具。
【請求項３】
前記回動禁止手段は、
前記上操作棒に軸方向に延びるように形成された長円穴と、
前記長円穴に挿入されることで前記操作棒の軸周りへの回動を禁止するロックピンとを含むことを特徴とする、請求項１または２に記載の燃料取扱工具。
【請求項４】
前記上操作棒は、その上端に設けられて回動操作するためのハンドルと、その下端に設けられて前記下操作棒と結合するための上接続フランジとを含み、
前記下操作棒は、その上端に設けられて前記上接続フランジに結合される下接続フランジと、その下端に設けられて前記照射燃料集合体を把持，開放するための保持手段とを含むことを特徴とする、請求項１ないし請求項３のいずれかに記載の燃料取扱工具。
【請求項５】
前記上接続フランジは、前記上操作棒の下端に設けられる嵌合部を含み、
前記下接続フランジは、前記嵌合部が挿入されかつ回動されることにより前記嵌合部を係止する係止部を含むことを特徴とする、請求項４に記載の燃料取扱工具。
【請求項６】
前記嵌合部は前記下接続フランジに係止される突起を含み、
前記係止部は前記突起を係止するための溝を含むことを特徴とする、請求項５に記載の燃料取扱工具。
【請求項７】
前記保持手段は、
前記照射燃料集合体を把持するための爪部材と、
前記操作棒を引上げることで前記爪部材の先端を狭め、押し下げることで前記爪部材の先端を広げて前記照射燃料集合体を把持させるアクチュエータとを含むことを特徴とする、請求項４に記載の燃料取扱工具。
【発明の詳細な説明】
【技術分野】
【０００１】
この発明は燃料取扱工具に関し、特に、核燃料の照射試験後、照射燃料集合体の移動(運搬）や検査に使用する分割型の燃料取扱工具に関する。
【背景技術】
【０００２】
加圧水型原子力発電所では定期検査時に水中テレビカメラ装置を用いて燃料集合体の外観検査を行っている。図１３は燃料集合体ピットの断面図であり、図１４は同じく斜視図である。
【０００３】
燃料集合体ピット１は、深さが約１０ｍの水が張られたプールから構成されており、図１３の左下底部には照射燃料集合体２を保管するための燃料集合体保管ラック１１が設けられており、右側上部には検査台１２が設けられている。燃料集合体保管ラック１１は、使用済みの照射燃料集合体２の検査待ちのために保管されるばかりでなく、再処理工場に納入するときの一時保管や新品の照射燃料集合体２を保管する場合にも使用される。検査台１２の下部には照射燃料集合体２の外観検査を行うための水中テレビカメラ装置５が設けられている。
【０００４】
燃料集合体ピット１の両側に沿って、図１４（ａ），（ｂ）に示すように、レール１４，１４が配設されており、ピットクレーン４がこのレール１４，１４に沿って、燃料集合体保管ラック１１上と検査台１２との間を移動可能に構成されている。検査時には、燃料集合体保管ラック１１に収納されている照射燃料集合体２が燃料取扱工具３の下端によって保持され、燃料取扱工具３の上端がピットクレーン４により引上げられて、図１４（ａ）に示すように燃料集合体保管ラック１１上から図１４（ｂ）に示すように水中を検査台１２まで移動する。
【０００５】
図１５は照射燃料集合体の外観側面図である。図１５において、照射燃料集合体２は多数の原子燃料棒２１に制御棒案内管２２を混入してこれらを軸方向に一定の間隔で支持格子２３により集束するとともに、制御案内管２２の上部を上部ノズル２４に固定し、制御案内管２２の下部を下部ノズル２５に固定して構成されている。このような照射燃料集合体２に関しては、特開平９−３１８７７９号公報に記載されている。
【特許文献１】特開平９−３１８７７９号公報
【発明の開示】
【発明が解決しようとする課題】
【０００６】
ピットクレーン４は図１３においてピットクレーン４の左右のいずれかで燃料取扱工具３を介して照射燃料集合体２を移送可能になっているが、燃料集合体保管ラック１１の左端に近いところに保管された照射燃料集合体２を取り出す場合、図１４（ａ）に示すように、ピットクレーン４の左側（検査台１２の反対側）に燃料取扱工具３が取り付けられる。そして、燃料ピットクレーン４を検査台１２側に移動させたとき、検査が終了するまで燃料ピットクレーン４を検査台１２側に停止させておかざるを得ない。燃料ピットクレーン４を燃料集合体保管ラック１１側に移動させると、燃料取扱工具３の上部分が燃料ピットクレーン４下部に両支柱間にまたがって設けられた歩廊に当接し、移動が制限されるからである。
【０００７】
ところが、図１３には検査台１２が１箇所しか示されていないが、実際には検査の効率を高めて作業時間を短縮するために検査台を２箇所以上設けることがある。その場合、一方の検査台で１つの照射燃料集合体を検査しているときに、他の燃料集合体を燃料集合体保管ラック１１から取り出して他方の検査台に移送することがある。しかし、上述のごとくピットクレーン４を他の用途に使用したくとも、燃料取扱工具３の上部分が障害になってしまい、ピットクレーン４を燃料集合体保管ラック１１側に移動できないという問題がある。
【０００８】
そこで、燃料取扱工具３を上下に分割できるように構成することが考えられるが、分割する操作と、照射燃料集合体を把持／開放する操作とを混同すると、照射燃料集合体を落下させてしまう重大な事故に発展してしまうおそれがある。
【０００９】
それゆえに、この発明の主たる目的は、上下に分割可能であって、分割，結合する操作と照射燃料集合体を把持，開放する操作とを混同することがない燃料取扱工具を提供することである。
【課題を解決するための手段】
【００１０】
この発明は、照射燃料集合体を保持するための燃料取扱工具であって、上操作棒と、照射燃料集合体を保持する下操作棒とを含み、軸方向に上下させることにより照射燃料集合体を把持，開放し、軸周りに回動させることにより上操作棒と下操作棒とが分離可能な操作棒と、操作棒の上操作棒に形成され、軸方向に交差する水平部分と、軸方向に平行な垂直部分とを含む溝と、溝の水平部分に挿入されることにより操作棒の軸周りへの回動を許容して上操作棒と下操作棒とを係合または解除させ、溝の垂直部分に挿入されることにより下操作棒に対して上操作棒の軸方向への上下動を許容してそれぞれを分離または結合させるためのピン部材と、上操作棒に設けられ、操作棒の軸方向への動きを許容するとともに引抜くことにより操作棒の軸周りへの回動を許容し、挿入することで操作棒の軸周りへの回動を禁止する回動禁止手段とを備えたことを特徴とする。
【００１１】
したがって、この発明に従えば、操作棒を上操作棒と下操作棒とに分割可能に構成したことにより、下操作棒で照射燃料集合体を保持している状態でも、上操作棒を分割して取り外すことができ、燃料集合体を搬送するためのクレーンの動きを阻害することがない。しかも、分割時は回動禁止手段だけを引抜き、ピン部材を引抜く必要がなく、照射燃料集合体の把持，開放時にはピン部材だけを引抜くという単純な操作で済み、分割時にピン部材を引抜いてしまうという誤操作を防止でき、分割時に錯誤により照射燃料集合体落下のおそれを未然に防止できる。
【００１２】
好ましくは、溝は、第１の水平部分と、垂直部分と、第２の水平部分とを含むコ字状に形成されていることを特徴とする。
【００１３】
好ましくは、回動禁止手段は、上操作棒に軸方向に延びるように形成された長円穴と、長円穴に挿入されることで操作棒の回動を禁止するロックピンとを含むことを特徴とする。
【００１４】
好ましくは、上操作棒は、その上端に設けられて回動操作するためのハンドルと、その下端に設けられて下操作棒と結合するための上接続フランジとを含み、下操作棒は、その上端に設けられて上接続フランジに結合される下接続フランジと、その下端に設けられて照射燃料集合体を把持，開放するための保持手段とを含むことを特徴とする。
【００１５】
好ましくは、上接続フランジは上操作棒の下端に設けられる嵌合部を含み、下接続フランジは、嵌合部が挿入されかつ回動されることにより嵌合部を係止する係止部を含むことを特徴とする。
【００１６】
好ましくは、嵌合部は下接続フランジに係止される突起を含み、係止部は突起を係止するための溝を含むことを特徴とする。
【００１７】
好ましくは、保持手段は照射燃料集合体を把持するための爪部材と、操作棒を引上げることで爪部材の先端を狭め、押し下げることで爪部材の先端を広げて照射燃料集合体を把持させるアクチュエータとを含むことを特徴とする。
【発明の効果】
【００１８】
以上のように、この発明によれば、上操作棒と、照射燃料集合体を保持する下操作棒とを含み、軸方向に上下させることにより照射燃料集合体を把持，開放し、軸周りに回動させることにより上操作棒と下操作棒とを分離可能にするための操作棒と、操作棒の上操作棒に形成され、軸方向に交差する水平部分と軸方向に平行な垂直部分とを含む溝と、溝の水平部分に挿入されることにより操作棒の軸周りへの回動を許容して上操作棒と下操作棒とを係合または解除させ、溝の垂直部分に挿入されることにより下操作棒に対して上操作棒の軸方向への上下動を許容してそれぞれを分離または結合させるためのピン部材と、上操作棒に設けられ、操作棒の軸方向への動きを許容するとともに引抜くことにより操作棒の軸周りへの回動を許容し、挿入することで操作棒の軸周りへの回動を禁止する回動禁止手段とを備えたことにより、操作棒を上操作棒と下操作棒とに分割可能に構成できる。
【００１９】
しかも、下操作棒で照射燃料集合体を保持している状態でも、上操作棒を分割して取り外すことができ、燃料集合体を搬送するためのクレーンの動きを阻害することがない。さらに、分割時は回動禁止手段だけを引抜き、ピン部材を引抜く必要がなく、照射燃料集合体の把持，開放時にはピン部材だけを引抜くという単純な操作で済み、分割時にピン部材を引抜いてしまうという誤操作を防止でき、分割時に錯誤により照射燃料集合体落下のおそれを未然に防止できる。
【発明を実施するための最良の形態】
【００２０】
まず、この発明の実施形態について説明する前に、この発明の前程となる分割可能な燃料取扱工具について、図１を参照して説明する。
【００２１】
図１において、燃料取扱工具３は、上部材３１と、下部材３２とに分割可能に構成されていて、上側接続フランジ３４と、下側接続フランジ３５とによって分割・結合が可能にされている。このように燃料取扱工具３を上下に分割可能に構成することで、図１３で説明した照射燃料集合体２の検査中は、燃料取扱工具３の上部材３１を取り外すことにより、ピットクレーン４が移動するのに障害にならないようにすることができる。
【００２２】
上部材３１は、操作棒３１１と、その周りを囲むように同軸的に設けられている接続管３１２と、接続管３１２の下端に設けられる上側接続フランジ３４と、接続管３１２の上端に設けられる吊具３１３，ハンドル３１４，ボールロックＴ型ピン３１５およびインデックスプランジャ３１６とを含む。さらに、接続管３１２と平行に解除棒３７１が設けられている。この解除棒３７１は上部材３１の接続管３１２と、下部材３２の接続管３２２との接続を解除するために設けられており、解除棒３７１の上端にはレバー３７２が設けられている。解除棒３７１の上部は接続管３１２のインデックスプランジャ３１６よりも下側に取付けられている保持部材３７３によって保持されており、解除棒３７１の下部は上側接続フランジ３４によって保持されている。
【００２３】
下部材３２は、操作棒３２１と、その周りを囲むように同軸的に設けられている接続管３２２と、接続管３２２の上端側に取付けられている下側接続フランジ３５と、接続管３２２の下端側に取付けられて照射燃料集合体２を保持する保持部３６とを含む。
【００２４】
図２は燃料取扱工具の上部の要部斜視図であり、図３は図２に示すハンドルの要部を示す図であり、図４は解除棒の保持部材を示す斜視図である。
【００２５】
燃料取扱工具３の上部材３１の吊具３１３は、図１３に示したピットクレーン４によって吊上げるために逆Ｕ字状に形成されている。ハンドル３１４は吊具３１３に囲まれるように軸周りに回動可能に設けられていて、照射燃料集合体２を把持，開放するときと、燃料取扱工具３を上下に分割，結合するときに操作される。ボールロックＴ型ピン３１５は、ハンドル３１４を引き上げた後ハンドル３１４が下がらないようにロックするために設けられており、インデックスプランジャ３１６はハンドル３１４の回動を阻止するために設けられている。
【００２６】
ハンドル３１４は、図３に示すように操作棒３１１の上端に結合されており、操作棒３１１にはボールロックＴ型ピン３１５を差し込むための穴３１７，３１８が上下に形成されているとともに、その下部にはインデックスプランジャ３１６の先端が挿入される長円穴３１９が形成されている。
【００２７】
解除棒３７１には図４に示すようにレバー３７２の下部に係止ピン３７５が固着されており、保持部材３７３には解除棒３７１が挿入される貫通孔が形成されているとともに係止ピン３７５が嵌り込むスリット３７４が形成されている。レバー３７２を９０度回動して係止ピン３７５をスリット３７４に嵌め込むと解除棒３７１を下方に押し下げることが可能になる。
【００２８】
図５〜図７は燃料取扱工具の分割部分の上側接続フランジおよび下側接続フランジを示す外観斜視図であり、特に図５は操作棒および接続管の接続部分を示し、図６は上側接続フランジの底面を示し、図７は操作棒の接続部分のみを抽出して示す外観斜視図である。また、図８は燃料取扱工具の保持部の要部断面図であり、図９は燃料集合体の上部ノズルを示す外観斜視図である。
【００２９】
上側接続フランジ３４と、下側接続フランジ３５は操作棒３１１と３２１および接続管３１２と３２２とを分割，結合する。このために、上部材３１の上側接続フランジ３４は、図７に示すように操作棒３１１の下端に設けられた嵌合部（接続ピン）３４４を含み、嵌合部３４４の先端はテーパ状に形成されている。下部材３２の操作棒３２１の先端部には係止部３５１が設けられており、係止部３５１には凹部３５８とＬ字状の係止溝３５２が形成されている。また、嵌合部３４４には軸方向に対して直交するように突出するピン（平行ピン）３４５が設けられている。嵌合部３４４は係止部３５１の凹部３５８に挿入され、反時計方向に回動されると、ピン３４５が係止部３５１に形成されているＬ字状の係止溝３５２によって係止され、これにより操作棒３１１と３２１とが接続される。
【００３０】
上側接続フランジ３４には、接続管３１２の下方内部に解除棒３７１を保持するための保持具３４１が設けられており、保持具３４１で保持されている解除棒３７１の下端は筒状のスリーブ３４２を貫通して下側に突出している。スリーブ３４２は嵌合部３４４を囲むように設けられており、その外周面に軸方向に延びる突条３４３が形成されている。スリーブ３４２の底面には図６に示すように解除棒３７１を挿通するための貫通孔３４６と、内方に向く４つの爪３４７が形成されている。
【００３１】
下側接続フランジ３５には、操作棒３２１の上端に固定された係止部３５１が設けられているとともに、接続管３２２に固定されたガイドスリーブ３５３と、十字形状の係止板３５４と、コーンブッシュ３５５とが設けられている。係止板３５４には解除棒３７１の先端部を係止するための切欠き溝３５７が形成されている。ガイドスリーブ３５３は筒状であって、上側接続フランジ３４のスリーブ３４２に形成されている突条３４３を嵌合するために一部に切欠き３５６が形成されている。コーンブッシュ３５５は図５に示すように逆円錐形状に形成されており、図１３に示した検査台１２には図示しないが、逆円錐形状のコーンブッシュ３５５を受け入れるように円錐状の凹部が形成されている。
【００３２】
接続管３１２と３２２とを接続するときは、スリーブ３４２の突条３４３をガイドスリーブ３５３の切欠き３５６に嵌合させるとともに、スリーブ３４２の４つの爪３４７を係止板３５４に係合させる。そして、解除棒３７１の先端を係止板３５４の切欠き溝３５７に挿入する。
【００３３】
前述の図１５で説明した照射燃料集合体２の上部ノズル２４は図９に示すように、４つの側板２４０を有する四角形状に形成されており、側板２４０の３つの角に１つの位置決め穴２４１と、２つのガイド穴２４２とが形成されている。保持部３６は、この上部ノズル２４の側板２４０から内側に延びる平板部２４４を把持するものであり、図１に示すように上部ノズル２４の平板部２４４を把持するための４つの爪３６１と、対角に設けられた２本のガイドピン３６２と、１本の位置決めピン３６３および１本の着座用のストッププラグ３６７とを含む。ガイドピン３６２は上部ノズル２４のガイド穴２４２に挿入され、位置決めピン３６３は位置決め穴２４１に挿入される。
【００３４】
４つの爪３６１は、図８に示すように固定ピン３６４によって回動可能に設けられており、円筒状のアクチュエータ３６５が上下することにより、爪３６１の先端が狭められたり、広げられたりする。すなわち、アクチュエータ３６５の上部には操作棒３２１の下端が固着されており、アクチュエータ３６５の下端の外側周縁には外側に向く突条３６６が形成されている。
【００３５】
アクチュエータ３６５が上側に位置しているときは爪３６１の下端は内側に狭められており、操作棒３２１が下側に押し下げられると、突条３６６が爪３６１の内側に当接しながらアクチュエータ３６５が下降することにより、爪３６１の下端が外側に開くので上部ノズル２４の平板部２４４を把持することができる。そして、吊具３１３を引上げることにより爪３６１の先端が平板部２４４を把持しながら照射燃料集合体２を引き上げることができる。
【００３６】
次に、燃料取扱工具３の上部材３１と下部材３２とが結合されていて、分割する動作について説明する。図２に示すインデックスプランジャ３１６を操作棒３１１の長円穴３１９から引抜くとともに、ボールロックＴ型ピン３１５を穴３１７から引抜く。これにより、ロックを解除してハンドル３１４を回転できない状態から回転を許容する状態になる。ハンドル３１４を燃料取扱工具３の上方から見て時計方向に４５度回動すると操作棒３１１も回動し、下側接続フランジ３５の係止溝３５２から上側接続フランジ３４のピン３４５をはずし、ハンドル３１４を上方向へ引き上げて嵌合部３４４を係止部３５１の凹部３５８から引き離す。これにより、操作棒３１１と３２１とが分離される。その後、ハンドル３１４を反時計方向に４５度回動させた後、インデックスプランジャ３１６とボールロックＴ型ピン３１５とをそれぞれ長円穴３１９と穴３１８とに差し込む。
【００３７】
次に、図４に示すレバー３７２を時計方向または反時計方向に９０度回動させて、レバー３７２を引上げることにより、スリット３７４に嵌まり込んでいる係止ピン３７５を保持部材３７３上に露出させ、解除棒３７１の下端を係止板３５４の切欠き溝３５７から引き離す。そして、レバー３７２を反時計方向または時計方向に９０度回動させて係止ピン３７５を保持部材３７３によって係止させて解除棒３７１が下方に下がらないようにする。
【００３８】
続いて、吊具３１３を反時計方向に９０度回動させて突条３４３を切欠き３５６の片端（図５の場合、左端）から反対側の端に移動させるとともにスリーブ３４２の爪３４７と係止板３５４との係合を解除する。これにより、操作棒３１１，３２１および接続管３１２，３２２の接続が切り離されるので、燃料取扱工具３は上部材３１と下部材３２とに分割される。
【００３９】
上部材３１と下部材３２とを結合するときは、上側接続フランジ３４と下側接続フランジ３５とをセンタリングして、ピットクレーン４により上側フランジ３４を微速で下降させて、スリーブ３４２に形成されている突条３４３が切欠き３５６の片端（図５の右端）に嵌め込まれるように下側接続フランジ３５に噛合わせる。次に、吊具３１３を時計方向に９０度回動して上側接続フランジ３４のスリーブ３４２に形成されている突条３４３を下側接続フランジ３５のガイドスリーブ３５３の切欠き３５６の反対側の端（図５の左端）に移動させるとともに、スリーブ３４２の爪３４７と係止板３５４とを係合させる。
【００４０】
続いて、レバー３７２を時計方向または反時計方向に９０度回動させて係止ピン３７５をスリット３７４に押し込み、解除棒３７１の先端部を係止板３５４の切欠き溝３５７に挿入する。挿入後、レバー３７２を再度反時計方向または時計方向に回動させて、係止ピン３７５のスリット３７４への嵌まり込みを防止する。
【００４１】
次に、インデックスプランジャ３１６を長円穴３１９から引抜くとともに、ボールロックＴ型ピン３１５を穴３１８から引抜いて、ハンドル３１４を回転できる状態にする。そして、ハンドル３１４を時計方向に回動させた後、ハンドル３１４を下方向へ押し下げる。嵌合部３４４を係止部３５１の凹部３５８に挿入した後、分割したときとは逆にハンドル３１４を反時計方向に４５度回動させ、上側接続フランジ３４のピン３４５を係止溝３５２に係止させる。これにより、上部材３１と下部材３２とが上側接続フランジ３４と下側接続フランジ３５とによって接続される。その後、インデックスプランジャ３１６とボールロックＴ型ピン３１５とをそれぞれ長円穴３１９と穴３１７とに差し込む。
【００４２】
次に、燃料取扱工具３を用いて照射燃料集合体２を把持して吊上げる動作について説明する。ハンドル３１４が引上げられていると、図８に示す保持部３６のアクチュエータ３６５も引上げられており、アクチュエータ３６５の下部に形成されている突条３６６が爪３６１の内面上部に位置するので爪３６１が狭められた状態になっている。この状態で図１４に示したピットクレーン４により燃料取扱工具３を引き下ろし、爪３６１を上部ノズル２４の側板２４０で囲まれた開口部分に挿入しながら保持部３６のガイドピン３６２および位置決めピン３６３を上部ノズル２４のガイド穴２４２および位置決め穴２４１に挿入する。
【００４３】
次に、ボールロックＴ型ピン３１５のみを穴３１８から引抜く。このとき、インデックスプランジャ３１６は長円穴３１９から引抜かない。インデックスプランジャ３１６は長円穴３１９に挿入されているため、ハンドル３１４の回転は禁止されるが、ハンドル３１４を下方向へ押し下げることは許容される。ハンドル３１４を押し下げることによりアクチュエータ３６５が保持部３６内で下降することにより、爪３６１の先端が広がり、上部ノズル２４０の平坦部２４４を把持する。次に、ボールロックＴ型ピン３１５を上側の穴３１７に挿入する。そして、ピットクレーン４によって吊具３１３を引上げると、燃料取扱工具３とともに照射燃料集合体２を吊上げることができる。
【００４４】
上述の燃料取扱工具３において、上部材３１と下部材３２とを分割するときには、ボールロックＴ型ピン３１５とインデックスプランジャ３１６とを引抜く。ボールロックＴ型ピン３１５を引抜く操作は照射燃料集合体２の把持／開放時にも行われているため、操作の錯誤が懸念されていた。
【００４５】
すなわち、照射燃料集合体２を引上げるときには、ボールロックＴ型ピン３１５のみを引抜き、インデックスプランジャ３１６は引抜かないようにしなければならない。この操作を誤ると、照射燃料集合体２を落下させるなどの重大な事故につながるおそれがある。そこで、この発明の実施形態では、燃料取扱工具３を分割可能でありながら操作を誤るおそれを少なくする機構を設ける。
【００４６】
図１０および図１１は、この発明の一実施形態を示す燃料取扱工具のハンドル部分を示す要部斜視図であり、図１２はハンドルを回動して分割する過程を説明するための斜視図である。なお、図１０および図１１において（ｂ），（ｄ），（ｆ）は（ａ），（ｃ），（ｅ）の矢印方向から見た図を示している。
【００４７】
この一実施形態では、図３に示したハンドル３１４の下部の操作棒３１１に形成されていた穴３１７，３１８に代えて、図１０（ｂ），（ｄ），（ｆ）に示すように、上下に水平部分とその間を垂直に結ぶ垂直部分とを有するコ字状の溝３７を形成したものである。この溝３７には、ピン部材としてのボールロックＴ型ピン３１５の先端部分が挿入される。
【００４８】
この実施形態の燃料取扱工具を分割する前は、インデックスプランジャ３１６は図１０（ｂ）に示すように、操作棒３１１の長円穴３１９に挿入されている。インデックスプランジャ３１６と長円穴３１９は回動禁止手段を構成している。ボールロックＴ型ピン３１５はコ字状の溝３７における上側水平部分の左上に位置している。前述の図５および図７で説明したように、上側接続フランジ３４の嵌合部３４４のピン３４５は、下側接続フランジ３５の係止部３５１に形成されている溝３５２によって係止され、分割が禁止されている。
【００４９】
この状態で図１０（ｃ）に示すようにインデックスプランジャ３１６を手前側に引くと、図１０（ｄ）に示すようにインデックスプランジャ３１６が長円穴３１９から離脱するので、ハンドル３１４を回動させることが可能になる。図１０（ｅ），（ｆ）に示すように、ハンドル３１４を時計方向に４５度回動させると、ボールロックＴ型ピン３１５はコ字状の溝３７における上側水平部分の右側に位置するのでハンドル３１４を上側に持上げるのが許容される。また、図１２（ｂ）に示すように、上側接続フランジ３４の嵌合部３４４のピン３４５は、下側接続フランジ３５の溝３５２による係止から開放されてハンドル３１４を持上げるのが許容される。
【００５０】
図１０（ｅ），（ｆ）に示す状態から、図１１（ａ），（ｂ）に示すように、ハンドル３１４を持ち上げると、ボールロックＴ型ピン３１５はコ字状の溝３７の下側水平部分の右側に位置する。図１２（ｃ）に示すように、上側接続フランジ３４の嵌合部３４４は、下側接続フランジ３５の係止部３５１から離れる。これにより、燃料取扱工具３０の操作棒３１１と３２１とが分離される。
【００５１】
なお、操作棒３１１と３２１とを分離した後、接続管３１２，３２２を分離する。その方法は前述の図４および図５の説明と同様にして、図４に示すレバー３７２を時計方向または反時計方向に９０度回動させて、レバー３７２を引上げることにより、スリット３７４に嵌まり込んでいる係止ピン３７５を保持部材３７３上に露出させ、解除棒３７１の下端を係止板３５４の切欠き溝３５７から引き離す。そして、レバー３７２を再度反時計方向または時計方向に９０度回動させて係止ピン３７５を保持部材３７３によって係止させて解除棒３７１が下方に下がらないようにする。続いて、吊具３１３を反時計方向に９０度回動させて突条３４３を切欠き３５６の片端（図５の場合、左端）から反対側の端に移動させるとともにスリーブ３４２の爪３４７と係止板３５４との係合を解除する。これにより、接続管３１２，３２２が分割される。
【００５２】
その後、図１１（ｃ），（ｄ）に示すように、ハンドル３１４が落下しないように反時計方向に４５度回動させると、図１１（ｅ），（ｆ）に示すようにボールロックＴ型ピン３１５はコ字状の溝３７における下側水平部分の左側に位置するので、ハンドル３１４はそれ以上下に下がることがない。そして、インデックスプランジャ３１６を長円穴３１９に差し込むと、ハンドル３１４の回動が禁止される。
【００５３】
次に、この実施形態の燃料取扱工具３０で照射燃料集合体２を把持して吊り上げる動作について説明する。ハンドル３１４が引上げられていると、図８に示す保持部３６のアクチュエータ３６５も引上げられており、アクチュエータ３６５の下部に形成されている突条３６６が爪３６１の内面上部に位置するので、爪３６１が狭められた状態になっている。
【００５４】
この状態で図１４に示したビットクレーン４により燃料取扱工具３０を引き下ろし、爪３６１を上部ノズル２４の側板２４０で囲まれた開口部分に挿入しながら保持部３６のガイドピン３６２と位置決めピン３６３とストッププラグ３６７とをそれぞれ上部ノズル２４のガイド穴２４１と位置決め穴２４２に挿入する。次に、ボールロックＴ型ピン３１５を引抜く。インデックスプランジャ３１６は長円穴３１９に挿入されているため、ハンドル３１４の回転は禁止されるが、ハンドル３１４を下方に押し下げることは許容される。
【００５５】
ハンドル３１４を押し下げると、アクチュエータ３６５が下方に押し下げられて爪３６１の下端を押し広げることにより、爪３６１の先端で側板２４０の平板部２４４を把持し、ボールロックＴ型ピン３１５を挿入する。そして、ピットクレーン４により吊具３１３を吊り上げることにより、燃料取扱工具３１とともに燃料集合体２を吊り上げることができる。
【００５６】
上述のごとく、この実施形態における燃料取扱工具３０では、分割時にはインデックスプランジャ３１６だけを長円孔３１９から手前側に引き、ボールロックＴ型ピン３１５は引抜くことなく、ボールロックＴ型ピン３１５の先端がコ字状の溝３７に沿うようにハンドル３１４を回動させかつ上方向へ持上げることで上部材３１と下部材３２とに分割できる。したがって、分割時には従来例のようにボールロックＴ型ピン３１５を引抜く必要がなくなった。
【００５７】
また、燃料取扱工具３０で照射燃料集合体２を把持，開放するときは、ボールロックＴ型ピン３１５だけを引抜くという単純な認識だけで済み、分割時の操作と照射燃料集合体２の引上げ時の操作に混同を生じるおそれを少なくできる。
【００５８】
その結果、分割時に錯誤により、照射燃料集合体開放用のボールロックＴ型ピン３１５を引抜いてしまうという誤操作を防止でき、照射燃料集合体２落下のおそれを未然に防止できる。
【００５９】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【図面の簡単な説明】
【００６０】
【図１】この発明の前提となる燃料取扱工具を分割した状態を示す外観斜視図である。
【図２】燃料取扱工具の上部材の要部斜視図である。
【図３】図２に示すハンドルの要部を示す図である。
【図４】図２に示す解除棒の取付け部材を示す斜視図である。
【図５】燃料取扱工具の分割部分の上側および下側接続フランジを示し、特に操作棒および接続管の接続部分を示す図である。
【図６】上側接続フランジの底面を示す斜視図である。
【図７】燃料取扱工具の分割部分の上側および下側接続フランジを示し、特に、操作棒の接続部分のみを抽出して示す外観斜視図である。
【図８】燃料取扱工具の保持部の要部断面図である。
【図９】照射燃料集合体の上部ノズルを示す外観斜視図である。
【図１０】この発明の一実施形態を示す燃料取扱工具のハンドル部分を示す斜視図であり、分割する過程を示す。
【図１１】この発明の一実施形態を示す燃料取扱工具のハンドル部分を示す斜視図であり、分割する過程を示す。
【図１２】この発明の一実施形態において、ハンドルを回動して分割する過程を説明するための斜視図である。
【図１３】燃料集合体ピットの断面図である。
【図１４】燃料集合体ピットの斜視図である。
【図１５】照射燃料集合体の側面図である。
【符号の説明】
【００６１】
２  照射燃料集合体
３，３０  燃料取扱工具
４  ピットクレーン
２４  上部ノズル
３１  上部材
３２  下部材
３４  上側接続フランジ
３５  下側接続フランジ
３６  保持部（治具ヘッド）
３７  溝
２４０  側板
２４１  位置決め穴
２４２  ガイド穴
３１１，３２１  操作棒
３１２，３２２  接続管
３１３  吊具
３１４  ハンドル
３１５  ボールロックＴ型ピン
３１６  インデックスプランジャ
３１７，３１８  穴
３１９  長円穴
３４１  保持具（ロックレバー）
３４２  スリーブ
３４３，３６６  突条
３４４  嵌合部（接続ピン）
３４５  ピン（平行ピン）
３４７，３６１  爪
３５１  係止部（ロックスリーブ）
３５２  係止溝
３５３  ガイドスリーブ
３５４  係止板
３５５  コーンブッシュ
３５６  切欠き
３５７  切欠き溝
３５８  凹部
３６２  ガイドピン
３６３  位置決めピン
３６４  固定ピン
３６５  アクチュエータ
３６７  ストッププラグ
３７１  解除棒
３７２  レバー
３７３  保持部材
３７４  スリット
３７５  係止ピン
【図１】
2006084441.tif 000003
【図２】
2006084441.tif 000004
【図３】
2006084441.tif 000005
【図４】
2006084441.tif 000006
【図５】
2006084441.tif 000007
【図６】
2006084441.tif 000008
【図７】
2006084441.tif 000009
【図８】
2006084441.tif 000010
【図９】
2006084441.tif 000011
【図１０】
2006084441.tif 000012
【図１１】
2006084441.tif 000013
【図１２】
2006084441.tif 000014
【図１３】
2006084441.tif 000015
【図１４】
2006084441.tif 000016
【図１５】
2006084441.tif 000017